(57)【要約】【課題】  簡単な構造で雪庇を生成しにくくする雪庇防止装置を提供することである。【解決手段】  内面（１２ａ）および外面（１２ｂ）をもつパネル（１２）と、建築物の屋根の外縁との間に所定の隙間が形成され且つ内面または内面の下半部が屋根面に対して鋭角をなすようにパネルを建築物に取り付けるための取付部材（１４）とを備え、内面に衝突した風が隙間を通って下方に吹き抜けることにより、屋根の外縁近傍に降り積もった雪を吹き飛ばし、雪庇の生成を妨げるように構成されていることを特徴とする雪庇防止装置（１０）が提供される。【選択図】  図１
2007291805.tif 000002
【特許請求の範囲】
【請求項１】
内面および外面をもつパネルと、建築物の屋根の外縁との間に所定の隙間が形成され且つ前記内面又は前記内面の下半部が屋根面に対して鋭角をなすように前記パネルを建築物に取り付けるための取付部材とを備え、前記内面に衝突した風が前記隙間を通って下方に吹き抜けることにより、屋根の外縁近傍に降り積もった雪を吹き飛ばし、雪庇の生成を妨げるように構成されていることを特徴とする雪庇防止装置。
【発明の詳細な説明】
【技術分野】
【０００１】
本発明は一般に、雪庇防止装置に関する。より詳細には、本発明は、雪庇を生成しにくくする雪庇防止装置に関する。
【背景技術】
【０００２】
積雪地帯では、建築物の屋根の風下側に庇のように積雪が張り出す（これを「雪庇」という）ことが知られている。このような雪庇は、落下すると、通行人に当たる等の被害を引き起こすため、種々の雪庇対策が講じられている。
【０００３】
従来の雪庇対策としては、屋根板の下に配置した発熱シートにより軒先の雪を融かす方法、フラット屋根の場合に笠木の上に取り付けた風受けのパラペットにより雪庇が生成される部分の風速を高めて積雪が生じにくくし、かつ、積雪の圧密効果を利用して積もった余分な雪を落下させる方法などが知られている。
【発明の開示】
【発明が解決しようとする課題】
【０００４】
しかしながら、前者の方法では、熱源を用いるため維持コストがかかるとともに、降雪量が多い場合には空洞化現象が起こって融けにくくなるという不都合がある。また、後者の方法では、降雪量が多いときには効果が少なく、雪を落下させるという点で依然として危険性を伴うという不都合がある。このように、従来の雪庇対策には、満足すべきものが見当たらないのが現状である。
【０００５】
本発明は、このような状況に鑑みて開発されたものであって、簡単な構造で雪庇を生成しにくくする雪庇防止装置を提供することを目的としている。
【課題を解決するための手段】
【０００６】
本願請求項１に記載の雪庇防止装置は、内面および外面をもつパネルと、建築物の屋根の外縁との間に所定の隙間が形成され且つ前記内面又は前記内面の下半部が屋根面に対して鋭角をなすように前記パネルを建築物に取り付けるための取付部材とを備え、前記内面に衝突した風が前記隙間を通って下方に吹き抜けることにより、屋根の外縁近傍に降り積もった雪を吹き飛ばし、雪庇の生成を妨げるように構成されていることを特徴とするものである。
【発明の効果】
【０００７】
本発明の雪庇防止装置によれば、特別な熱源を使用せずに雪庇を生成しにくくすることができるので、装置の維持コストを殆ど必要としない。また、本発明の雪庇防止装置は、雪庇が生成し易い箇所にのみ配置することができるので、施工コストを最小限に抑えることができる。また、本発明の雪庇防止装置を使用することにより、通行人などの安全性を確保することができるとともに、屋根の雪降ろし作業等の必要性を極力減少させることができる。さらに、本発明の雪庇防止装置は、きわめて簡単な構造であるので、故障が少なく、仮に故障した場合であっても、修理が容易である。
【発明を実施するための最良の形態】
【０００８】
次に図面を参照して、本発明の好ましい実施の形態に係る雪庇防止装置について詳細に説明する。図１は、本発明の好ましい実施の形態に係る雪庇防止装置を示した斜視図である。図１において全体として参照符号１０で示される本発明の好ましい実施の形態に係る雪庇防止装置は、内面１２ａおよび外面１２ｂをもつパネル１２と、建築物の屋根の外縁との間に所定の隙間が形成され且つ内面１２ａが屋根面に対して鋭角αをなすように、パネル１２を建築物に取り付けるための取付部材１４とを備えている。
【０００９】
なお、本明細書においてパネルの「内面」とは、建築物に近い方に位置する面を意味し、パネルの「外面」とは、内面と反対側の面、即ち、建築物から遠い方に位置する面を意味している。
【００１０】
パネル１２は、屋根の外縁との間に所定の隙間を形成することができるものであれば、任意の形状、寸法のものでよい。パネル１２は、金属材料、合成樹脂材料、木質材料などの適当な材料で形成される。取付部材１４は、パネルを建築物に強固に固定することができるものであれば、任意の寸法、形状のものでよいが、耐腐食性を考慮して、金属材料（例えば、アングル材）で形成するのが好ましい。
【００１１】
図２は、建築物の屋根の外縁に雪庇防止装置１０が取り付けられている状態を示した模式図である。いま、風が図２において左方から右方に向かって吹いているものとする。パネル１２の内面１２ａに衝突した風は、矢印で示されるように下方に差し向けられ、屋根の外縁とパネル１２との間の隙間を通って下方に吹き抜ける。その際、風の吹き抜ける空間が狭くて風速が強められるため、屋根の外縁近傍に降り積もった雪（図２において破線で示した部分）に大きな力が作用して雪が吹き飛ばされ、これにより雪庇の生成が妨げられる。
【００１２】
なお、パネル１２の上縁１２ｃ付近に向かって吹く風の一部が、パネル１２の外面１２ｂに沿って下方に向かうため、パネル１２の外面１２ｂ上に雪が降り積もらないようになっている。また、仮にパネル１２の外面１２ｂ上に雪が降り積もったとしても、パネル１２が上述のように屋根面に対して鋭角αをなすように取り付けられているため、降り積もった雪が少量のうちに滑り落ちてしまう。
【００１３】
図３には、建築物の屋上の対向する二辺に雪庇防止装置１０が取り付けられている例が示されているが、建築物の四辺すべてに雪庇防止装置１０を取り付けてもよく、或いは所要の辺にのみ雪庇防止装置１０を取り付けてもよい。
【００１４】
図２及び図３に示される例では、雪庇防止装置１０のパネル１２の下縁１２ｄが建築物の屋根の外縁よりも外方に位置するものとして示されているが、パネル１２の下縁１２ｄが屋根の外縁の実質的に上方に位置するようにパネル１２を取り付けてもよく（図４（ａ）参照）、或いはパネル１２の下縁１２ｄが屋根の外縁よりも内方に位置するようにパネル１２を取り付けてもよい（図４（ｂ）参照）。
【００１５】
上述の実施の形態では、一定の厚みをもち、内面１２ａと外面１２ｂが平行な平板状のパネル１２が用いられているが、風の衝突する内面が風を下方に差し向けるような形状であれば、パネルの形状を必ずしも平板状にする必要はない。図５は、雪庇防止装置１０の種々の変形形態を示した図である。図５（ａ）および図５（ｂ）は、内面の下半部のみが屋根面に対して鋭角をなすように形成されたパネルを示している。図５（ｃ）は、内面が側面視で湾曲形状となるように形成されたパネルを示している。図５（ｄ）は、内面の下半部が屋根面に対して鋭角をなすように形成されているとともに、外面も上半部と下半部で互いに異なる方に傾斜するように形成されたパネルを示している。これらのいずれのパネルにおいても、内面に衝突した風が下方に差し向けられるようになっているので、雪庇防止装置１０と同様の効果を奏することができる。
【００１６】
なお、図５（ａ）〜図５（ｄ）に示される形態以外の形態でも、内面に衝突した風が下方に差し向けられるようになっているパネルであれば、本発明の範囲内に含まれる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１８】
【図１】本発明の第１の実施の形態に係る雪庇防止装置を示した斜視図である。
【図２】図１の雪庇防止装置が建築物の屋根の外縁に取り付けられている状態を示した模式図である。
【図３】図１の雪庇防止装置が建築物の屋上の対向する二辺に取り付けられている例を示した斜視図である。
【図４】図４（ａ）はパネルの下縁が屋根の外縁の実質的に上方に位置するようにパネルが取り付けられている状態を示した模式図、図４（ｂ）はパネルの下縁が屋根の外縁よりも内方に位置するようにパネルが取り付けられている状態を示した模式図である。
【図５】雪庇防止装置のパネルの種々の変形形態を示した図である。
【符号の説明】
【００１９】
１０  雪庇防止装置
１２  パネル
１２ａ  パネルの内面
１２ｂ  パネルの外面
１２ｃ  パネルの上縁
１２ｄ  パネルの下縁
１４  取付部材
【図１】
2007291805.tif 000003
【図２】
2007291805.tif 000004
【図３】
2007291805.tif 000005
【図４】
2007291805.tif 000006
【図５】
2007291805.tif 000007